(57)【特許請求の範囲】
【請求項１】
相互に嵌合する容器本体と蓋体から成るケース本体の内部にボンディングワイヤが巻回されたスプールを収容するスプールケースにおいて、
上記容器本体が、スプールの一方側開放端を当接させる輪形状の係止盤と、この係止盤の内周側縁部に適宜間隔を介し設けられ上記スプールの胴部内壁に外周面が接触する断面略円弧状若しくは多角形状の複数の起立板と、上記係止盤の起立板設置側とは反対側に立設された複数の操作部を備え、各操作部の先端側を互いに内側へ弾性変形させることにより各起立板がその基端部を支点として弾性変形し、起立板の各先端部が係止盤の内周側縁部から外周側縁部方向へ向かって拡開するようになっていることを特徴とするスプールケース。
【請求項２】
適宜間隔を介し対向配置された断面略半円形状若しくは多角形状の２つの起立板と、上記係止盤の起立板設置側とは反対側で各起立板に対応する部位にそれぞれ設けられかつ断面略半円形状若しくは多角形状で底面側が閉止された２つの筒状操作部とで上記起立板と操作部が構成されると共に、筒状操作部の互いに対向する開放側直線状縁部が係止盤の内周側に設けられた帯状連結板により連結されていることを特徴とする請求項１記載のスプールケース。
【請求項３】
スプールケースの一方を構成する蓋体が、一端側が開放されかつ開放側近傍の内周面が上記容器本体における係止盤の外周側縁部に係合すると共に収容されたスプールのボンディングワイヤを保護する円筒状若しくは多角筒状カバー部材と、この円筒状若しくは多角筒状カバー部材内の他端側閉止面に設けられ上記スプールの胴部内壁に外周面が接触する内側円筒若しくは多角筒部材と、この内側円筒若しくは多角筒部材の先端側閉止面上に立設され上記筒状操作部の筒部内に嵌入される断面略半円形状若しくは多角形状の２つの嵌入部材を具備することを特徴とする請求項２記載のスプールケース。
【請求項４】
上記蓋体の一部に、スプールケースの転がりを防止する回転防止部材が設けられていることを特徴とする請求項１〜３のいずれかに記載のスプールケース。
【請求項５】
上記蓋体における円筒状若しくは多角筒状カバー部材との接触面積を増大させる帯状接触部材が上記係止盤における外周側縁部に設けられていることを特徴とする請求項１〜４のいずれかに記載のスプールケース。
【請求項６】
上記容器本体をスプールに取付けたままワイヤボンダー装置におけるスプールホルダに上記スプールが装着されるようになっていることを特徴とする請求項１〜５のいずれかに記載のスプールケース。
【請求項７】
上記容器本体における操作部に、スプールに巻回されたボンディングワイヤに関する情報表示体が取付けられまたはこの表示体を収容する収容部が設けられていることを特徴とする請求項１〜６のいずれかに記載のスプールケース。
【請求項８】
上記容器本体および蓋体が、透明または着色樹脂材料により一体成型されていることを特徴とする請求項１〜７のいずれかに記載のスプールケース。
【発明の詳細な説明】
【０００１】
【発明の属する技術分野】
本発明は、相互に嵌合する容器本体と蓋体から成るケース本体の内部にボンディングワイヤが巻回されたスプールを収容するスプールケースに係り、特に、ボンディングワイヤに触れることなくスプールを取り扱うことができ、かつ、上記容器本体が取付けられたままワイヤボンダー装置におけるスプールホルダにスプールを装着できると共に、ボンディングワイヤを巻回したスプールが操作時において容器本体から脱落し難いスプールケースの改良に関するものである。
【０００２】
【従来の技術】
従来、半導体素子の製造に適用されるボンディングワイヤを巻回したスプールはスプールケースから取り出されてワイヤボンダー装置におけるスプールホルダに装着されるが、従来のスプールケースにおいてはスプールのフランジを手で持って取扱われる構造のため、スプール操作時においてボンディングワイヤに手が触れワイヤの損傷を引き起こす不具合があった。また、半導体素子製造の効率化を図るため、近年、スプールに巻回されるボンディングワイヤは長尺化される傾向にあるため、上記不具合が発生したときの損失が大きくなる問題があった。
【０００３】
そこで、このような不具合を解消する各種スプールケースが開発されている。例えば、特開平７−８６３２６号公報には、相互に嵌合する容器と蓋から成るスプールケースにおいて、容器および蓋のうち少なくとも一方に、スプールを保持すると共にスプールに直接手を触れることなく着脱できるスプール保持部を備えたスプールケースが開示されている。すなわち、このスプールケースにおける上記スプール保持部は、スプールの胴部内壁に接触する嵌合隆の内側に嵌合隆を弾性変形させるための操作部となる凹部を備え、この凹部に差し込んだ指を開操作することでスプールの胴部内壁に対する嵌合隆の接触圧が得られることから、スプールを直接手で持つことなくワイヤボンダー装置におけるスプールホルダへ装着できるものであった。但し、凹部に差し込んだ指を開操作するには負荷があり十分な接触圧を得ることが難しいことから、スプールが上記スプール保持部から落下する可能性も指摘されている。
【０００４】
また、特開平１０−３２６８０４号公報には支持台と蓋から成り上記支持台の底部に指で保持が可能な隆起把持部を設けたスプールケースが開示されている。すなわち、このスプールケースにおいては、スプールケースからスプールを取出す際に支持台底部に設けられた隆起把持部を指で押さえて蓋を引き離すことができ、従来のようにスプールに巻回されたボンディングワイヤに指が接触することなく蓋を引き離せるものであった。但し、このスプールケースにおいては支持台の底部に上記隆起把持部が設けられたものに過ぎないため、ボンディングワイヤを巻回したスプールが操作中に支持台から脱落し易い問題が指摘されている。
【０００５】
更に、特開平１１−２７４２１８号公報にも、スプールをワイヤボンダー装置におけるスプールホルダへ直接手で持つことなく装着できるスプールケースが開示されている。すなわち、このスプールケースは相互に嵌合する容器本体と蓋体から成っており、上記容器本体には蓋体と嵌合する外周隆の内側面にスプールのフランジ外周縁に弾性係合する複数の係合部が設けられ、容器本体と一体に各係合部が弾性変形してスプールを着脱自在に保持できるようにしたものである。但し、近年の半導体素子製造工程では多品種を少量生産する場合が増え、スプールに巻回されているボンディングワイヤが全て使用される前に別の種類のボンディングワイヤに交換することが多いため、繰り返しの使用により上記容器本体に設けられた係合部が摩耗して十分な保持力が得られなくなる場合があった。また、これら係合部についてはスプールに巻回されているボンディングワイヤと接触しないようスプールフランジに僅かに係合しているに過ぎないため、作業者がスプールケースを操作する際に着脱用の弾性変形させる部位を誤って持ってしまった場合、スプールが簡単に脱落してしまう問題が存在した。
【０００６】
【発明が解決しようとする課題】
このように特開平７−８６３２６号公報、特開平１０−３２６８０４号公報および特開平１１−２７４２１８号公報等に開示されている従来のスプールケースにおいては、ボンディングワイヤに触れることなくスプールの取扱いが可能な利点を有するものの、操作時においてスプール保持部や支持台あるいは容器本体からスプールが脱落しやすい可能性を有していた。
【０００７】
また、上述したように近年の半導体素子製造工程では多品種を少量生産する場合が増えているため、スプールホルダに装着されているスプールのボンディングワイヤが全て使用される以前に別品種若しくは別線径のボンディングワイヤに交換されることが多くなっている。この場合、ボンディングワイヤに関する情報はスプールケースに添付されたラベルに表示されていることが通常なため、スプールをスプールホルダに装着するとこのスプールに巻回されたボンディングワイヤの品種や線径などは判別できなくなる。従って、全てのボンディングワイヤが使い尽くされていないスプールを品種交換のためにスプールホルダから取り外した際、このスプールを作業者が誤って別のスプールケースに収容してしまった場合、その後においてスプールケースのラベルに表示されたボンディングワイヤとは別品種のボンディングワイヤが使用される危険性が存在した。
【０００８】
尚、このような危険を回避するため、数種類の着色でスプールを区別し品種や線径等の識別を行う方法が採られているが、多品種を使用している場合にはどうしても複数種が同一色になり易く識別が困難となる場合があった。
【０００９】
また、スプールが装着されるスプールホルダに導通をとるため、上記スプールの胴部内壁および胴部内壁より連なるフランジ側面にニッケル、クロムなどの金属メッキを施す場合がある。この場合、識別のための着色可能な領域は、ワイヤが巻回されるスプールの外周面とこの外周面に連なるフランジ側面だけとなるため、ワイヤが巻回された後における視覚可能な着色部はワイヤの巻回両端部からフランジまでに限られてしまい品種や線径等の識別には不十分であった。
【００１０】
本発明はこのような問題点に着目してなされたもので、その課題とするところは、ボンディングワイヤに触れることなくスプールを取り扱うことができかつボンディングワイヤを巻回したスプールが操作時において着脱し難いスプールケースを提供し、合わせてワイヤボンダー装置におけるスプールホルダに装着されたスプールからこのスプールに巻回されているボンディングワイヤの種類や線径等が識別可能なスプールケースを提供することにある。
【００１１】
【課題を解決するための手段】
すなわち、請求項１に係る発明は、
相互に嵌合する容器本体と蓋体から成るケース本体の内部にボンディングワイヤが巻回されたスプールを収容するスプールケースを前提とし、
上記容器本体が、スプールの一方側開放端を当接させる輪形状の係止盤と、この係止盤の内周側縁部に適宜間隔を介し設けられ上記スプールの胴部内壁に外周面が接触する断面略円弧状若しくは多角形状の複数の起立板と、上記係止盤の起立板設置側とは反対側に立設された複数の操作部を備え、各操作部の先端側を互いに内側へ弾性変形させることにより各起立板がその基端部を支点として弾性変形し、起立板の各先端部が係止盤の内周側縁部から外周側縁部方向へ向かって拡開するようになっていることを特徴とする。
【００１２】
また、請求項２に係る発明は、
請求項１記載の発明に係るスプールケースを前提とし、
適宜間隔を介し対向配置された断面略半円形状若しくは多角形状の２つの起立板と、上記係止盤の起立板設置側とは反対側で各起立板に対応する部位にそれぞれ設けられかつ断面略半円形状若しくは多角形状で底面側が閉止された２つの筒状操作部とで上記起立板と操作部が構成されると共に、筒状操作部の互いに対向する開放側直線状縁部が係止盤の内周側に設けられた帯状連結板により連結されていることを特徴とし、
請求項３に係る発明は、
請求項２記載の発明に係るスプールケースを前提とし、
スプールケースの一方を構成する蓋体が、一端側が開放されかつ開放側近傍の内周面が上記容器本体における係止盤の外周側縁部に係合すると共に収容されたスプールのボンディングワイヤを保護する円筒状若しくは多角筒状カバー部材と、この円筒状若しくは多角筒状カバー部材内の他端側閉止面に設けられ上記スプールの胴部内壁に外周面が接触する内側円筒若しくは多角筒部材と、この内側円筒若しくは多角筒部材の先端側閉止面上に立設され上記筒状操作部の筒部内に嵌入される断面略半円形状若しくは多角形状の２つの嵌入部材を具備することを特徴とする。
【００１３】
次に、請求項４に係る発明は、
請求項１〜３のいずれかに記載の発明に係るスプールケースを前提とし、
上記蓋体の一部に、スプールケースの転がりを防止する回転防止部材が設けられていることを特徴とし、
請求項５に係る発明は、
請求項１〜４のいずれかに記載の発明に係るスプールケースを前提とし、
上記蓋体における円筒状若しくは多角筒状カバー部材との接触面積を増大させる帯状接触部材が上記係止盤における外周側縁部に設けられていることを特徴とし、
請求項６に係る発明は、
請求項１〜５のいずれかに記載の発明に係るスプールケースを前提とし、
上記容器本体をスプールに取付けたままワイヤボンダー装置におけるスプールホルダに上記スプールが装着されるようになっていることを特徴とする。
【００１４】
また、請求項７に係る発明は、
請求項１〜６のいずれかに記載の発明に係るスプールケースを前提とし、
上記容器本体における操作部に、スプールに巻回されたボンディングワイヤに関する情報表示体が取付けられまたはこの表示体を収容する収容部が設けられていることを特徴とし、
請求項８に係る発明は、
請求項１〜７のいずれかに記載の発明に係るスプールケースを前提とし、
上記容器本体および蓋体が、透明または着色樹脂材料により一体成型されていることを特徴とするものである。
【００１５】
【発明の実施の形態】
以下、本発明の実施の形態について図面を参照して詳細に説明する。
【００１６】
この実施の形態に係るスプールケースは、相互に嵌合する図１（Ａ）〜（Ｂ）に示す容器本体１と図２に示す蓋体２とで構成されている。
【００１７】
まず、容器本体１は透明若しくは着色樹脂材料等を利用して一体成型されており、図３に示すスプール３の一方側開放縁が当接される輪形状の係止盤１０と、この係止盤１０の内周側縁部に適宜間隔を介し設けられ上記スプール３の胴部内壁に外周面が接触する断面略半円形状の２つの起立板１１、１２と、上記係止盤１０の起立板設置側とは反対側で各起立板１１、１２に対応する部位にそれぞれ設けられかつ断面略半円形状で底面側が閉止された２つの筒状操作部１３、１４とでその主要部が構成され、図１（Ａ）に示すように筒状操作部１３、１４の互いに対向する開放側直線状縁部が係止盤１０の内周側に設けられた帯状連結板１５により連結されていると共に、上記係止盤１０の外周側縁部にはその周方向に亘り以下に述べる蓋体２の円筒状カバー部材２０との接触面積を増大させる帯状接触部材１６が設けられている。
【００１８】
また、上記蓋体２は透明若しくは着色樹脂材料等を利用して一体成型されており、図２に示すように一端側が開放されかつ開放側近傍の内周面が上記容器本体１における係止盤１０の外周側縁部に設けられた帯状接触部材１６に係合すると共に図４に示すように収容されたスプール３のボンディングワイヤ３０を保護する円筒状カバー部材２０と、この円筒状カバー部材２０内の他端側閉止面に設けられ上記スプール３の胴部内壁に外周面が接触する内側円筒部材２１と、この内側円筒部材２１の先端側閉止面上に立設され上記筒状操作部１３、１４の筒部内に嵌入される断面略半円形状の２つの嵌入部材２２、２３とでその主要部が構成されている。
【００１９】
そして、図４に示すように容器本体１と蓋体２は相互に嵌合してケース本体４を形成し、このケース本体４内にボンディングワイヤ３０を巻回したスプール３が収容されるようになっている。
【００２０】
このスプールケースにおいて上記スプール３をスプールケースから取り出すには以下のようにすればよい。
【００２１】
すなわち、図１（Ｂ）の矢印αで示すように作業者が容器本体１における一対の筒状操作部１３、１４を手で握ってその先端側を互いに内側へ弾性変形させると、図１（Ｂ）の矢印βで示すように容器本体１における各起立板１１、１２がその基端部を支点として弾性変形し、起立板１１、１２の各先端部が係止盤１０の径方向（係止盤１０の内周側縁部から外周側縁部方向）へ向かって拡開する。
【００２２】
この起立板１１、１２の拡開作用により上記スプール３の胴部内壁に対する各起立板１１、１２の接触圧が得られるためボンディングワイヤ３０に触れることなくスプール３を取扱うことが可能となり、かつ、容器本体１の筒状操作部１３、１４を手で握った状態で上記蓋体２から容器本体１を引き抜くことによりスプール３が容器本体１に保持された状態で容器本体１と蓋体２が分離される。
【００２３】
そして、上記起立板１１、１２のスプール３胴部内壁に対する接触圧は筒状操作部１３、１４を握る強さに対応して（すなわち、筒状操作部１３、１４の弾性変形度合いに対応して）強くなるため、この実施の形態に係るスプールケースは上述した従来のスプールケースと比較して操作時におけるスプール３の脱落が起こり難い利点を有している。
【００２４】
また、この実施の形態に係るスプールケースにおいては、上記筒状操作部１３、１４を握る強さに対応した強い接触圧（すなわちスプール３に対する保持力）が得られるため近年のボンディングワイヤの長尺化に起因したスプール重量の増加に対し対応させることが可能となり、かつ、スプール３に対する十分な保持力が確保されることから容器本体１における起立板１１、１２の高さ寸法を一般的なワイヤボンダー装置のスプールホルダ（図示せず）に干渉しない程度の短さ（例えば、１２．５ｍｍ以下）に設定できるため汎用性に富む利点を有している。
【００２５】
また、起立板１１、１２の高さ寸法をスプールホルダに干渉しない程度の短さに設定できることから容器本体１をスプール３に取付けたままスプールホルダに装着することができ、しかも、容器本体１の係止盤１０は輪形状を有していることから容器本体１が取付けられた状態でスプール３を回転させてもワイヤボンダー装置のワイヤガイドレール等と干渉することがないため容器本体１をスプール３に取付けた状態でボンディングワイヤ３０の使用が可能となる。
【００２６】
更に、上記容器本体１をスプール３に取付けた状態でボンディングワイヤの使用が可能なことから、図５に示すように上記スプール３に巻回されたボンディングワイヤ（図示せず）に関する種類や線径等の情報が記載されたラベル（情報表示体）５を容器本体１の筒状操作部１３、１４等に貼付けたり、あるいは情報表示体を収納するポケットやスリット等の収容部（図示せず）を容器本体１の筒状操作部１３、１４等に設けることにより、スプールケースからスプール３を取り出した後においてもこのスプール３に巻回されたボンディングワイヤの種類や線径等を識別することが可能となる利点を有している。
【００２７】
すなわち、従来のスプールケースにおいては全てのボンディングワイヤが使い尽くされていないスプールを品種交換のためにスプールホルダから取り外した際、このスプールを作業者が誤って別のスプールケースに収容してしまった場合、その後においてスプールケースのラベルに表示されたボンディングワイヤとは別品種のボンディングワイヤが使用されてしまう危険性が存在したが、この実施の形態に係るスプールケースにおいては、図５に示すようにスプール３に巻回されたボンディングワイヤ（図示せず）に関するラベル（情報表示体）５を容器本体１の筒状操作部１３、１４に貼付けたりラベル（情報表示体）５の収容部を設ける等することにより回避できる利点を有している。
【００２８】
尚、この実施の形態において上記容器本体１の係止盤１０は内円と外円から成る輪形状を有しているが、内と外が共に多角形の輪形状に設定してもよい。
【００２９】
また、これに対応させて容器本体１の起立板１１、１２についても断面多角形状の部材に変更してもよく、かつ、上記蓋体２のカバー部材２０と嵌入部材２２、２３についても断面多角形状の部材で構成してもよい。
【００３０】
また、この実施の形態において容器本体１における係止盤１０の外周側縁部には図１（Ａ）に示すようにその全周方向に亘り帯状接触部材１６が設けられた構造になっているが、この帯状接触部材１６については図６に示すように上記帯状連結板１５に対応した部位に間欠凹部６、６、６を設ける構造にしてもよい。これ等間欠凹部６、６、６が設けられた場合、筒状操作部１３、１４を握った際のスプール３胴部内壁に対する起立板１１、１２の接触圧をより増大できる利点を有する。
【００３１】
また、この実施の形態においては図１（Ａ）に示すように２つの起立板１１、１２が設けられているが、図７に示すように断面略円弧状の４つの起立板７１、７２、７３、７４で構成する構造にしてもよく、また、これ等４つの起立板を操作する筒状操作部についても４つの筒状操作部８１、８３，８４で構成する構造にしてもよい。また、上記４つの起立板を操作する筒状操作部については、図８に示すように２つの筒状操作部１３、１４で兼用させる構造にしてもよい。
【００３２】
更に、上記蓋体２については図９に示すように円筒状カバー部材２０の閉止側にスプールケースの転がりを防止する回転防止部材９が付設された構造にしてもよい。
【００３３】
尚、この実施の形態において上記容器本体１と蓋体２は透明若しくは着色樹脂材料等を利用してそれぞれ一体成型されているが、同様の材料を用い成型された複数の部材を適宜貼り合せる等して構成してもよくその製法は任意である。
【００３４】
【発明の効果】
請求項１〜８の本発明に係るスプールケースによれば、
容器本体が、スプールの一方側開放端を当接させる輪形状の係止盤と、この係止盤の内周側縁部に適宜間隔を介し設けられ上記スプールの胴部内壁に外周面が接触する断面略円弧状若しくは多角形状の複数の起立板と、上記係止盤の起立板設置側とは反対側に立設された複数の操作部を備え、各操作部の先端側を互いに内側へ弾性変形させることにより各起立板がその基端部を支点として弾性変形し、起立板の各先端部が係止盤の内周側縁部から外周側縁部方向へ向かって拡開するようになっている。
【００３５】
従って、各操作部の先端側を互いに内側へ弾性変形させるだけで上記スプールの胴部内壁に対する各起立板の接触圧が得られるためボンディングワイヤに触れることなくスプールを取扱うことが可能となり、かつ、上記接触圧は各操作部の弾性変形度合いに対応して強くなるため上述した従来のスプールケースと較べて操作時におけるスプールの脱落が起こり難くなる効果を有している。
【００３６】
また、各操作部の弾性変形度合いに対応してスプールに対する十分な保持力を付与できることからボンディングワイヤの長尺化に対応してスプール重量が増大しても対応させることが可能で、かつ、十分な保持力が確保されることから上記起立板の高さ寸法を一般的なワイヤボンダー装置におけるスプールホルダに干渉しない程度の短さに設定できるためその汎用性に富む効果を有している。
【００３７】
また、起立板の高さ寸法がスプールホルダに干渉しない程度の短さに設定可能なことから容器本体をスプールに取付けたまま上記スプールホルダに装着することができ、しかも容器本体の係止盤は輪形状を有していることから容器本体が取付けられた状態でスプールを回転させてもワイヤボンダー装置のワイヤガイドレール等と干渉することがないため、容器本体をスプールに取付けた状態でボンディングワイヤの使用が可能となる効果を有している。
【００３８】
更に、上記容器本体をスプールに取付けた状態でボンディングワイヤの使用が可能なことから、上記スプールに巻回されたボンディングワイヤに関する情報表示体を容器本体の操作部に取付けたり情報表示体を収容する収容部を設けることにより、スプールケースからスプールを取り出した後においてもこのスプールに巻回されたボンディングワイヤの種類や線径等を識別できる効果を有している。
【図面の簡単な説明】
【図１】図１（Ａ）は実施の形態に係るスプールケースの一方を構成する容器本体の概略斜視図、図１（Ｂ）は図１（Ａ）のＢ−Ｂ面断面図。
【図２】図２は実施の形態に係るスプールケースの他方を構成する蓋体の概略斜視図。
【図３】上記スプールケースに収容されるスプールの概略斜視図。
【図４】実施の形態に係るスプールケースの構成を示す断面図。
【図５】容器本体に保持された状態を示すスプールの概略斜視図。
【図６】変形例に係る実施の形態に係る容器本体の概略斜視図。
【図７】変形例に係る実施の形態に係る容器本体の概略斜視図。
【図８】変形例に係る実施の形態に係る容器本体の概略斜視図。
【図９】変形例に係る実施の形態に係る蓋体の概略斜視図。
【符号の説明】
１  容器本体
２  蓋体
３  スプール
４  ケース本体
５  ラベル（情報表示体）
６  間欠凹部
９  回転防止部材
１０  係止盤
１１  起立板
１２  起立板
１３  筒状操作部
１４  筒状操作部
１５  帯状連結板
１６  帯状接触部材
【図１】
0003570502.tif 000002
【図２】
0003570502.tif 000003
【図３】
0003570502.tif 000004
【図４】
0003570502.tif 000005
【図５】
0003570502.tif 000006
【図６】
0003570502.tif 000007
【図７】
0003570502.tif 000008
【図８】
0003570502.tif 000009
【図９】
0003570502.tif 000010